(57)【要約】【課題】棒状物品の分離装置を提供する。【解決手段】棒状物品の分離装置は受取／積載ユニット、導引ユニット、伝動ユニットを含む。該受取／積載ユニットは載置部片側に斜面部を形成し、該斜面部の端縁は載置部を連通する開口を備え、しかも該載置部の底部には連棒が設置され、該連棒は緩衝フレーム体と連接する。該導引ユニットは該開口片側に対応設置され、該該導引ユニットは少なくとも固定台、該固定台片側に設置する連動部、該連動部一端に設置し、該載置部が設置する開口と対応する押上げ部、及び該固定台及び該連動部間に設置する緩衝部により構成される。該伝動ユニットは第一、二偏心輪を備え、該連棒及び該連動部と連動可能である。これにより、該伝動ユニットは該受取／積載ユニット及び該導引ユニット連動し、該受取／積載ユニット中の棒状物品は該導引ユニットを利用しオートメーション方式で逐一分離される。【選択図】図１
0003136448.tif 000002
【実用新案登録請求の範囲】
【請求項１】
主に棒状物品の分離装置であって、受取／積載ユニット、導引ユニット、伝動ユニットを含み、
該受取／積載ユニットは載置部片側に斜面部を形成し、該斜面部の端縁には載置部を連通する開口を備え、しかも該載置部の底部には連棒を設置し、該連棒は緩衝フレーム体を連接し、
該導引ユニットは該載置部の開口片側に対応設置され、しかも該導引ユニットは少なくとも固定台、該固定台片側に設置する連動部、該連動部一端に設置し、該載置部が設置する開口と対応する押上げ部、及び該固定台及び該連動部間に設置する緩衝部により構成され、
該伝動ユニットは該受取／積載ユニットに形成されている連棒を連動する第一偏心輪、及び該導引ユニットに形成されている連動部を連動する第二偏心輪を備えることを特徴とする請求項１記載の棒状物品の分離装置。
【請求項２】
前記緩衝フレーム体は少なくとも該連棒と可動結合するサポートフレーム、該サポートフレーム底部に設置する脚フレーム、及び該サポートフレームと該脚フレーム間に設置する弾性部品により構成されることを特徴とする請求項１記載の棒状物品の分離装置。
【請求項３】
前記押上げ部は少なくとも相互に重なりしかも鋸歯状を呈する移動板及び固定板を備えることを特徴とする請求項１記載の棒状物品の分離装置。
【請求項４】
前記該伝動ユニットは少なくともアクチュエーター、該アクチュエーターと該第一、二偏心輪に連接する軸棒、及び該軸棒上に設置され、それぞれ該第一、二偏心輪を連動するハイポイド歯車により構成されることを特徴とする請求項１記載の棒状物品の分離装置。
【考案の詳細な説明】
【技術分野】
【０００１】
本考案は一種の棒状物品の分離装置に関する。特に一種の棒状物品をオートメーション方式により逐一分離可能な棒状物品の分離装置に係る。
【背景技術】
【０００２】
一般に棒状物品（冷陰極管など）を製作する時、或いは製作完成後に分離する時には、関連する製造工程、或いは後行程における使用の便を図るため、通常は人手によりこれを行う。そしてこの後に多数の関連する製造工程を行い、或いは既に前段製造工程を完成した棒状物品を逐一或いは段階的に分離し、後続の関連する工程での使用の利便性を確保する。
【０００３】
公知の人手による方式は棒状物品（冷陰極管など）を逐一或いは段階的に分離し、後続の関連する製造工程に移動させ使用することができるが、人手による方式で棒状物品（冷陰極管など）の分離を行う時、力を加え過ぎることがあるため、棒状物品を損壊或いは断裂させてしまうことがある。
【０００４】
しかも人手による分離の方式はコスト及び移動時間を増加させ、歩留り低下とコスト増加の状況を招いている。よって、公知の人手による分離の方式は実際の製造工程上の必要を満たしていない。
【考案の開示】
【考案が解決しようとする課題】
【０００５】
本考案が解決しようとする課題は、伝動ユニットにより受取／積載ユニット及び導引ユニットを連動させ、該受取／積載ユニット中の棒状物品が該導引ユニットを利用しオートメーション方式で逐一分離される棒状物品の分離装置を提供することである。
【課題を解決するための手段】
【０００６】
該課題を解決するため、本考案は下記の棒状物品の分離装置を提供する。
それは主に棒状物品の分離装置で、受取／積載ユニット、導引ユニット、伝動ユニットを含み、
該受取／積載ユニットは載置部片側に斜面部を形成し、該斜面部の端縁は載置部を連通する開口を備え、しかも該載置部の底部には連棒を設置し、該連棒は緩衝フレーム体を連接し、
該導引ユニットは該開口片側に対応設置され、該該導引ユニットは少なくとも固定台、該固定台片側に設置する連動部、該連動部一端に設置し、該載置部が設置する開口と対応する押上げ部、及び該固定台及び該連動部間に設置する緩衝部により構成し、
該伝動ユニットは第一、二偏心輪を備え、該連棒及び該連動部を連動可能である。
【考案の効果】
【０００７】
上記のように、本考案棒状物品の分離装置は公知の種々の欠点改善に有効であり、伝動ユニットは受取／積載ユニット及び導引ユニットを連動し、受取／積載ユニット中の棒状物品は該導引ユニットを利用しオートメーション方式で逐一分離される。
【考案を実施するための最良の形態】
【０００８】
本考案の断面状態指示図である図１に示すように、本考案の棒状物品の分離装置は少なくとも受取／積載ユニット１、導引ユニット２及び伝動ユニット３により構成され、これにより該伝動ユニット３は該受取／積載ユニット１及び該導引ユニット２を連動し、該受取／積載ユニット１中の棒状物品は該導引ユニット２を利用し、オートメーション方式で逐一分離される。
【０００９】
該受取／積載ユニット１は載置部１１片側に斜面部１１１を形成し、該斜面部１１１の端縁は連通載置部１１を備える開口１２である。しかも該載置部１１の底部には連棒１３を設置し、該連棒１３は緩衝フレーム体１４を連接し、該緩衝フレーム体１４は少なくとも該連棒１３と可動結合するサポートフレーム１４１、該サポートフレーム１４１底部に設置する脚フレーム１４２、及び該サポートフレーム１４１と該脚フレーム１４２間に設置する弾性部品１４３により構成する。
【００１０】
該導引ユニット２は該載置部１１の開口１２片側に対応設置され、しかも該導引ユニット２は少なくとも固定台２１、該固定台２１片側に設置する連動部２２、該連動部２１一端に設置し、該載置部１１が設置する開口１２と対応する押上げ部２３、及び該固定台２１及び該連動部２２間に設置する緩衝部２４により構成する。該押上げ部２３は相互に重なり、しかも鋸歯状を呈する移動板２３１及び固定板２３２を備える。
【００１１】
該伝動ユニット３は該受取／積載ユニット１が設置する連棒１３を連動する第一偏心輪３１、及び該導引ユニット２が設置する連動部２２を連動する第二偏心輪３２を備える。該伝動ユニット３は少なくともアクチュエーター３３、該アクチュエーター３３と該第一、二偏心輪３１、３２に連接する軸棒３４、及び該軸棒３４上に設置し、それぞれ該第一、二偏心輪３１、３２を連動するハイポイド歯車３５、３６により構成する。こうして上記構造により全く新しい棒状物品の分離装置を構成する。
【００１２】
本考案の使用状態断面指示図及び本考案導引ユニットの動作指示図である図２〜８に示すように、本考案の使用時には、多数の必要な棒状物品４（冷陰極管など）を該受取／積載ユニット１の載置部１１中に設置し、該伝動ユニット３を起動する。これにより該アクチュエーター３３は該軸棒３４を伝動させ、該軸棒３４上のハイポイド歯車３５、３６はこれに対応し同時に該第一、二偏心輪３１、３２を連動する。こうして該第一偏心輪３１は該受取／積載ユニット１の連棒１３を連動し、該連棒１３は該サポートフレーム１４１と該脚フレーム１４２間の弾性部品１４３に対応し、該載置部１１はわずかな上下移動（或いは震動）を行う。これにより該載置部１１中の棒状物品４を該斜面部１１１から該開口１２位置に送り、該導引ユニット２が設置する押上げ部２３の移動板２３１は該開口１２から落下する棒状物品４を受け取り、同時に該第二偏心輪３２は該導引ユニット２の連動部２２を連動し、該連動部２２は該固定台２１間の緩衝部２４と対応し上下垂直移動を行う。
【００１３】
こうして該連動部２２は同時に該押上げ部２３の移動板２３１と連動し上下移動を行わせ、該移動板２３１が下方へと移動する時、該移動板２３１側面に接触していた棒状物品４は該移動板２３１の端縁へと移動し、かつ該固定板２３２鋸歯の側面により動きを制限される。該第二偏心輪３２が再度該連動部２２を連動し、該移動板２３１を上方へと移動させると、該棒状物品４が上方へと押し移動し、該固定板２３２の端縁を越えると、次の該移動板２３１の鋸歯片側に落ち入り、止まる。こうして、該押上げ部２３は該移動板２３１の上下移動を繰り返し行わせ、該移動板２３１の押上げと停止、及び該固定板２３２片側の制限を組合せ、該棒状物品４をオートメーション方式により逐一分離し、該導引ユニット２と連接する後行程設備（図示なし）に伝送する。
【図面の簡単な説明】
【００１４】
【図１】本考案の断面状態指示図である。
【図２】本考案の使用状態断面指示図である。
【図３】本考案導引ユニットの動作指示図である。
【図４】本考案導引ユニットの動作指示図である。
【図５】本考案導引ユニットの動作指示図である。
【図６】本考案導引ユニットの動作指示図である。
【図７】本考案導引ユニットの動作指示図である。
【図８】本考案導引ユニットの動作指示図である。
【符号の説明】
【００１５】
１        受取／積載ユニット
１１        載置部
１１１      斜面部
１２        開口
１３        連棒
１４        緩衝フレーム体
１４１      サポートフレーム
１４２      脚フレーム
１４３      弾性部品
２          導引ユニット
２１        固定台
２２        連動部
２３        押上げ部
２３１      移動板
２３２      固定板
２４        緩衝部
３          伝動ユニット
３１        第一偏心輪
３２        第二偏心輪
３３        アクチュエーター
３４        軸棒
３５、３６  ハイポイド歯車
４        棒状物品
【図１】
0003136448.tif 000003
【図２】
0003136448.tif 000004
【図３】
0003136448.tif 000005
【図４】
0003136448.tif 000006
【図５】
0003136448.tif 000007
【図６】
0003136448.tif 000008
【図７】
0003136448.tif 000009
【図８】
0003136448.tif 000010